【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
ネットワークに接続されたサーバにて、電子データからなるコンテンツを管理する情報管理方法であって、
サーバからアクセス可能なストレージ領域にコンテンツが保存されること、
コンテンツごとに用意されたビット列と当該コンテンツの保存アドレスの関連付けが、サーバから参照可能なストレージ領域に保持されること、
前記ビット列が表現された管理用シンボルをサーバにて発行すること、
前記ビット列に冗長なデータが含まれるようにするとともに、当該冗長なデータによる前記ビット列の符号化および復号化をサーバにて実施すること、
冗長なデータが含まれた前記ビット列を、公開されない規則に基づいて前記管理用シンボルに表現すること、
を特徴とする情報管理方法。
【請求項２】
前記管理用シンボルは、平面上に配置された複数のセルにデータマークを表示してビット列を表現する２次元コードであること、
前記２次元コードにおけるセルの表示規則を複数用意し、当該表示規則を２次元コードの発行ごとに選択すること、
前記セルの表示規則をサーバで管理し、かつ、前記２次元コードの画像データの解析をサーバ上で実施すること、
を特徴とする請求項１に記載の情報管理方法。
【請求項３】
コンテンツごとに用意された前記ビット列は、サーバから参照可能なストレージ領域に保持されたデータベースのレコードと対応付けられること、
前記データベースにおいて、所定の使用期間または回数が超過したレコードの使用を停止すること、
前記レコードの停止期間を管理し、一定の期間が経過した後、当該レコードを再び使用すること、
を特徴とする請求項１に記載の情報管理方法。
【請求項４】
ネットワークに接続されたサーバにて、電子データからなるコンテンツを管理する情報管理方法であって、
サーバからアクセス可能なストレージ領域にコンテンツが保存されること、
デジタル情報の種類に応じて用意された動作種別の選択によって、前記コンテンツに対する動作が設定されること、
前記コンテンツと関連付けられた管理用シンボルをサーバにて発行すること、
前記動作種別を参照することでコンテンツに対する動作を決定し、サーバ上のプログラムの処理を介して自動的に実行すること、
を特徴とする情報管理方法。
【請求項５】
クライアント端末から受信した情報を基に、当該クライアント端末を使用するユーザを特定すること、
ストレージ領域に保存された前記コンテンツを、特定された前記ユーザの個人用ストレージ領域に格納すること、
を特徴とする請求項４に記載の情報管理方法。
【請求項６】
個人用ストレージ領域に格納される前記コンテンツを、前記ユーザがカスタマイズして利用するＷｅｂページに登録すること、
登録された前記コンテンツを、前記Ｗｅｂページにおけるブックマーク、アドレス帳、Ｗｅｂアルバム、の何れかとして参照可能とすること、
を特徴とする請求項５に記載の情報管理方法。
【請求項７】
電子データからなるコンテンツの送受信を管理する情報管理サーバであって、
管理用シンボルを発行する管理用シンボル発行手段と、
管理用シンボルとコンテンツとの関連付けを記録する記録手段と、
携帯端末の撮像機能を用いて撮像された後、当該携帯端末のメール機能を用いて送信された管理用シンボルの画像を受信するメール受信手段と、
メール受信手段で受信された管理用シンボルの画像から、当該管理用シンボルに埋め込まれた情報を復元する管理用シンボル復元手段と、
管理用シンボル復元手段で取得された情報を基に、管理用シンボルとの関連付けを参照して、前記コンテンツを特定するコンテンツ特定手段と、
管理用シンボルの画像を送信した前記携帯端末に対して、コンテンツ特定手段で特定されたコンテンツまたはコンテンツの保存アドレスが含まれた電子メールを送信するメール送信手段と、
を有することを特徴とする情報管理サーバ。
【請求項８】
ネットワークへの接続が可能なクライアント端末からＷＥＢサイトにログインする際のユーザ認証を行う情報管理サーバであって、
クライアント端末からのアクセス情報を取得するアクセス情報取得手段と、
管理用シンボルを発行する管理用シンボル発行手段と、
管理用シンボルと前記アクセス情報との関連付けを記録する記録手段と、
管理用シンボル発行手段で発行された管理用シンボルを送信して、クライアント端末の表示画面に表示させる管理用シンボル送信手段と、
撮像機能付き携帯端末で撮像された管理用シンボルの画像を基に、当該管理用シンボルに埋め込まれた情報を取得する管理用シンボル情報取得手段と、
管理用シンボル情報取得手段で取得された情報を基に、管理用シンボルとの関連付けを参照して、前記クライアント端末からのアクセスを特定するアクセス特定手段と、
を有することを特徴とする情報管理サーバ。
【手続補正２】
【補正対象書類名】明細書
【補正対象項目名】００２５
【補正方法】変更
【補正の内容】
【００２５】
上記の表示規則は、発行する２次元コードごとに変えることが好ましい。すなわち、２次元コードには、複数の表示規則を用意しておいて、発行ごとに選んで処理を行うと良い。選択された表示規則は、上記のビット列を表現する以外の領域に情報として埋め込んでおくことで、ビット列の復元時に参照して利用することができる。この表示規則は、公開されずにサーバで管理すると良い。
誤り訂正符号を付加した後のビット列は、各ビットの値と、各セルの表示（データマークの有無）を一対一で対応させて変換すると良い。カラー２次元コードの場合は、各ビットの値は、各色成分でのセル表示（データマークの有無）に対応させると良い。これにより、セルの読み取りエラーはビット列のエラーに対応し、誤り訂正が適用できる。
具体的には、ビットの位置とセル番号の対応関係を変換するか、セルの表示の種類を変換すると良い。これらを同時に行うと、変換の組み合せが増加してセキュリティがさらに向上する。また、これらの変換は、ビット列に対して行っても良い。すなわち、ビットの位置を入れ替えるか、ビットの値を反転させる、または、これらを同時に行うと良い。
【手続補正３】
【補正対象書類名】明細書
【補正対象項目名】００６８
【補正方法】変更
【補正の内容】
【００６８】
本発明に係わる情報管理サーバは、
ネットワークに接続されたサーバにおいて、
携帯端末を使用するユーザを識別する情報である、ユーザ識別情報を登録するユーザ識別情報登録手段と、
クライアント端末からのアクセス情報を取得するアクセス情報取得手段と、
管理用シンボルを発行する管理用シンボル発行手段と、
管理用シンボルと前記アクセス情報との関連付けを記録する記録手段と、
管理用シンボル発行手段で発行された管理用シンボルを送信して、クライアント端末の表示画面に表示させる管理用シンボル送信手段と、
管理用シンボルが出力された後、撮像機能付き携帯端末で撮像された画像を基に得られる、管理用シンボルに埋め込まれた情報を取得する管理用シンボル情報取得手段と、
管理用シンボル情報取得手段で取得された情報を基に、管理用シンボルとの関連付けを参照して、前記アクセスを特定するアクセス特定手段と、
管理用シンボルを撮像した携帯端末から送信された、ユーザ識別情報を取得するユーザ識別情報取得手段と、
を有し、ネットワークへの接続が可能なクライアント端末から所定のＷＥＢサイトにログインする際の、ユーザ認証に利用する情報を管理する。